(57)【要約】      （修正有）【課題】一つのスプレー缶遠隔噴射棒で数種の異なる噴射装置のスプレー缶に対応して噴射を可能にしたスプレー缶遠隔噴射操作棒である。【解決手段】噴射装置１０が異なっているスプレー缶９を噴射させるためのプッシュ部位Ａ、Ｂ、Ｃをそれぞれプッシュできるように湾曲させた湾曲プッシュアーム２を遠隔支持棒１に取り付け、その遠隔支持棒１のスプレー缶固定台３をスライド式にしてスプレー缶固定台３に装着したスプレー缶９の噴射装置１０のプッシュ部位Ａ、Ｂ、Ｃが湾曲プッシュアーム２の先端に来るようにスプレー缶固定台３をスライドさせて合せスライド固定具４で固定しプッシュアーム操作レバー７を操作することによって異なった噴射装置１０のスプレー缶９にも対応して噴射を可能にしたスプレー缶遠隔噴射操作棒。【選択図】図１
2008155991.tif 000002
【特許請求の範囲】
【請求項１】
遠隔支持棒に噴射装置の異なるスプレー缶の噴射プッシュ部位をプッシュできるように湾曲させた湾曲プッシュアームを取り付け遠隔支持棒のスプレー缶固定台をスライド式にして、スプレー缶固定台に装着したスプレー缶の噴射装置部位を湾曲プッシュアームの先端に移動させる方法によって、噴射装置の異なるスプレー缶にも対応して噴射を可能にした湾曲プッシュアーム付スプレー缶固定台スライド式スプレー缶遠隔噴射操作棒。
【請求項２】
遠隔支持棒に取り付けたスプレー缶固定台の角度を変更方式にして、スプレー缶固定台に装着したスプレー缶の角度を変更し噴射装置部位を湾曲プッシュアームの先端に移動させる方式によって、噴射装置の異なるスプレー缶にも対応して噴射を可能にした湾曲プッシュアーム付スプレー缶固定台角度変更式スプレー缶遠隔噴射操作棒。
【請求項３】
遠隔支持棒の先にスプレー缶を固定し湾曲プッシュアームを伸縮式にして、湾曲プッシュアームの先端をスプレー缶の噴射部位に移動させることによって、噴射装置の異なるスプレー缶にも対応して噴射を可能にした伸縮式湾曲プッシュアーム付スプレー缶遠隔噴射操作棒。
【請求項４】
遠隔支持棒の先にスプレー缶を固定し湾曲プッシュアームを屈曲式にして、湾曲プッシュアームの先端をスプレー缶の噴射装置部位に移動させる方式によって、噴射装置の異なるスプレー缶にも対応して噴射を可能にした屈曲式湾曲プッシュアーム付スプレー缶遠隔噴射操作棒。
【請求項５】
遠隔支持棒を伸縮式の二重構造にし一方にスプレー缶固定台を他方に湾曲プッシュアームを取り付け遠隔支持棒を伸縮させて、湾曲プッシュアームの先端をスプレー缶の噴射装置部位に移動する方式によって、噴射装置の異なるスプレー缶にも対応して噴射を可能にした遠隔支持棒伸縮式湾曲プッシュアーム付スプレー缶遠隔噴射操作棒。
【発明の詳細な説明】
【技術分野】
【０００１】この発明は噴射装置の異なるスプレー缶を遠隔操作棒の先で噴射させる方法に関する。
【背景技術】
【０００２】従来のスプレー缶遠隔操作具は噴射装置の型が決まったスプレー缶にだけ対応させたものであった。
【特許電子図書館】
特開平  ９−１４１１４６
【特許電子図書館】
実開平  ５−４９６８５
【特許電子図書館】
実開平  ６−１５７５５
【特許電子図書館】
特開平  ７−２２２９４４
【特許電子図書館】
特開平  ９−１８７６９０
【特許電子図書館】
特開平  １１−２５３８４４
【発明の開示】
【発明が解決しようとする課題】
【０００３】従来のスプレー缶遠隔操作棒は中央垂直プッシュ式の噴射装置のスプレー缶にのみ対応するものであって、スプレー式家庭用殺虫剤などの引金式噴射装置や中央手前プッシュ式噴射装置には対応できなかった。
【課題を解決するための手段】
【０００４】この発明はその欠点を除くためになされたものであって、これを図面  図１によって説明すれば遠隔支持棒１にスプレー缶９の噴射装置１０の噴射させるための異なる部位Ａ、Ｂ、Ｃをプッシュできるように湾曲させた湾曲プッシュアーム２を取り付け、湾曲プッシュアーム２がプッシュアーム操作レバー７をにぎるとワイヤー１２を介して垂直に下がるようにし、その遠隔支持棒１の先に遠隔支持棒１とスプレー缶固定台３を連結させている取付具８を通して前後にスライドするスプレー缶固定台３を取り付ける。このスプレー缶固定台３のスプレー缶固定アーム６にスプレー缶９を乗せて固定バンド５で固定し、スプレー缶９の噴射装置１０を前方に向ける。
スプレー缶９を装着したスプレー缶固定台３が前後にスライドするので、湾曲プッシュアーム２の先端は噴射装置１０のプッシュする部位Ａ、Ｂ、Ｃに応じて前後中央と自在にプッシュすることができる。このため異なる形式の噴射装置１０のスプレー缶９でも湾曲プッシュアーム２の先端に噴射装置１０のプッシュする部位Ａ、Ｂ、Ｃをスライドさせて合わせ遠隔支持棒１とスプレー缶固定台３を連結しているスライド固定具４でスプレー缶固定台３を固定してプッシュアーム操作レバー７を握ることによって噴射が可能になる。
【発明の効果】
【０００５】このような構造だから、引金式噴射装置１０Ａのスプレー缶９は噴射ノズル１１の部位を上部中央垂直プッシュ型は中央プッシュ噴射装置１０Ｂの部位を上部手前プッシュ型は中央手前プッシュ噴射装置１０Ｃの部位を湾曲プッシュアーム２の先端に合わせればプッシュアーム操作レバー７で噴射できる。このことによって、スプレー缶９の噴射形式にとらわれずに遠隔噴射できる。そのため庭木の毛虫やアブラ虫等をスプレー式家庭用殺虫剤を用いて殺虫するときは、噴射形式を問わないので特売のスプレー缶９を装着させて安く殺虫できると共に遠隔噴射ができるので安全性を高められる利点がある。
【発明を実施するための最良の形態】
【０００６】遠隔支持棒１に湾曲プッシュアーム２を取り付け、さらにスライド式のスプレー缶固定台３を取り付けスプレー缶９の噴射装置１０の形式別にスプレー缶固定台３をスライドさせる位置を遠隔支持棒１に標示し、装着したスプレー缶９の噴射装置１０に合わせてスプレー缶固定台３を標示した位置にスライドさせスライド固定具４を使って一目で固定できるようにする。このことによって、引金式噴射装置１０Ａ中央プッシュ式噴射装置１０Ｂ中央手前プッシュ式噴射装置１０Ｃの各々のプッシュ部位に湾曲プッシュアーム２の先端が対応してプッシュアーム操作レバー７を操作すれば噴射が可能となる。
【実施例】
【０００７】請求項２のスプレー缶固定台３の角度を変更する方法を図２によって説明すれば、取付具８で遠隔支持棒１とスプレー缶固定台３を固定し、スプレー缶固定台３に支点  ａ、ｂ、ｃを設けスライド固定具４をスライドさせることによりスプレー缶９の角度を変えることによって、噴射装置１０を前後に移動させ各々の噴射装置１０のプッシュ部位を湾曲プッシュアーム２の先端に対応させスライド固定具４で固定する方法。【０００８】請求項３のプッシュアーム２を伸縮させる方法を図３によって説明すれば、湾曲プッシュアーム２の手元を伸縮させることにより、各々の噴射装置１０のプッシュ部位に湾曲プッシュアーム２の先端を対応させ、伸縮スライド固定具ｄで固定する方法。【０００９】請求項４の湾曲プッシュアーム２を屈曲させる方法を図４によって説明すれば、湾曲プッシュアーム２に支点ｅ  を設けて屈曲固定具ｆ  で湾曲プッシュアーム２の先端を開閉するように移動させることによって、各々の噴射装置１０のプッシュ部位にプッシュアーム２の先端を対応させ屈曲固定具ｆで固定する方法。【００１０】請求項５の遠隔支持棒１を伸縮させる方法を図５によって説明すれば、遠隔支持棒１を二重構造にし外部遠隔支持棒１ｇにスプレー缶固定台３を取り付け内部遠隔支持棒１ｈに湾曲プッシュアーム２を取り付け遠隔支持棒１を伸縮させることによって、各々の噴射装置１０のプッシュ部位にプッシュアムの先端を対応させ伸縮固定具ｉで固定する方法。
【図面の簡単な説明】
【図１】請求項１の湾曲プッシュアーム付スプレー缶固定台スライド式スプレー缶遠隔噴射操作棒の正面図である。
【図２】請求項２の湾曲プッシュアーム付スプレー缶固定台角度変更式スプレー缶遠隔噴射操作棒の先端部の正面図である。
【図３】請求項３の伸縮式の湾曲プッシュアーム付スプレー缶遠隔噴射操作棒の先端部の正面図である。
【図４】請求項４の屈曲式の湾曲プッシュアーム付スプレー缶遠隔噴射操作棒の先端部の正面図である。
【図５】請求項５の遠隔支持棒伸縮式湾曲プッシュアーム付スプレー缶遠隔噴射操作棒の先端部の正面図である。
【符号の説明】
１  遠隔支持棒                      Ａ  噴射装置プッシュ部位
２  プッシュアーム                  Ｂ  噴射装置プッシュ部位
３  スプレー缶固定台                Ｃ  噴射装置プッシュ部位
４  スライド固定具                  ａ  支点
５  スプレー缶固定バンド            ｂ  支点
６  スプレー缶底固定アーム          ｃ  支点
７  プッシュアーム操作レバー        ｄ  伸縮スライド固定具
８  取付具                          ｅ  支点
９  スプレー缶                      ｆ  屈曲固定具
１０  噴射装置                      １ｇ  外部遠隔支持棒
１１  ノズル                        １ｈ  内部遠隔支持棒
１２  ワイヤー                        ｉ  伸縮固定具
【図１】
2008155991.tif 000003
【図２】
2008155991.tif 000004
【図３】
2008155991.tif 000005
【図４】
2008155991.tif 000006
【図５】
2008155991.tif 000007